(57)【要約】【課題】記録装置のＧＵＩを、通信回線を介して接続された表示装置で表示する際に、ＧＵＩの更新の速度を一層速くする。【解決手段】記録装置２００はＬＡＮ３００経由で表示装置１００にＧＵＩ画面を送信する（Ｓ６）。画像表示装置１００のＣＰＵ１０１は選択枠を生成する（Ｓ８）。ＣＰＵ１０１及びグラフィック処理部１０７は生成した選択枠をＧＵＩ画面に合成する（Ｓ９）。映像処理／出力部１０８はＧＵＩ画面を表示パネル１４０に表示する（Ｓ１０）。ＣＰＵ１０１及びグラフィック処理部１０７は、ユーザの操作に従い新たに選択枠を生成する（Ｓ１２）。ＣＰＵ１０１及びグラフィック処理部１０７は生成された選択枠を表示していたＧＵＩ画面に合成して更新後のＧＵＩ画面を生成する（Ｓ１３）。映像処理／出力部１０８は生成された更新後のＧＵＩ画面を表示パネル１４０に表示する（Ｓ１４）。【選択図】図４
2008250621.tif 000002
【特許請求の範囲】
【請求項１】
記録装置のＧＵＩ（Graphical  User  Interface）を、表示装置で表示するＧＵＩ表示システムであって、
前記表示装置は、
前記記録装置から送信されたデータに係るＧＵＩを表示する表示手段と、
前記ＧＵＩ中で更新表示される領域の更新画像と、前記表示手段が表示している前記ＧＵＩとを合成する合成手段と、
を備え、
前記表示手段は、前記合成手段が前記更新画像を合成した前記ＧＵＩを表示する、ＧＵＩ表示システム。
【請求項２】
前記表示装置は、
前記ＧＵＩ中で更新表示される領域の更新画像を生成する更新画像生成手段をさらに備え、
前記合成手段は、前記更新画像生成手段が生成した前記更新画像と、前記表示手段が表示している前記ＧＵＩとを合成する、請求項１に記載のＧＵＩ表示システム。
【請求項３】
前記記録装置は、
前記ＧＵＩ中で更新表示される領域の更新画像を生成する更新画像生成手段をさらに備え、
前記表示装置の前記合成手段は、前記記録装置の前記更新画像生成手段が生成した前記更新画像と、前記表示手段が表示している前記ＧＵＩとを合成する、請求項１に記載のＧＵＩ表示システム。
【請求項４】
前記記録装置は、
前記ＧＵＩ中で更新表示される領域の座標データを生成する更新領域データ生成手段をさらに備え、
前記表示装置の前記合成手段は、前記記録装置の前記更新領域データ生成手段が生成した前記座標データに係る領域における前記更新画像と、前記表示手段が表示している前記ＧＵＩとを合成する、請求項１〜３のいずれか１項に記載のＧＵＩ表示システム。
【請求項５】
前記表示装置は、
前記記録装置から送信されたデータに係るＧＵＩを、前記表示装置の表示態様に変換する表示態様変換手段をさらに備える、請求項１〜４のいずれか１項に記載のＧＵＩ表示システム。
【請求項６】
記録装置のＧＵＩ（Graphical  User  Interface）を、表示装置で表示させる記録装置であって、
前記ＧＵＩ中で更新表示される領域の座標データを生成する更新領域データ生成手段を備え、
前記ＧＵＩに係るデータと共に、前記更新領域データ生成手段が生成した前記座標データを前記表示装置に送信する、記録装置。
【請求項７】
前記ＧＵＩ画面中で更新表示される領域の更新画像を生成する更新画像生成手段をさらに備え、
前記ＧＵＩに係るデータと共に、前記更新画像生成手段が生成した更新画像のデータを前記表示装置に送信する、請求項６に記載の記録装置。
【請求項８】
記録装置のＧＵＩ（Graphical  User  Interface）を、表示装置で表示するＧＵＩ表示方法であって、
前記表示装置の表示手段は、前記記録装置から送信されたデータに係るＧＵＩを表示し、
前記表示装置の合成手段は、前記ＧＵＩ中で更新表示される領域の更新画像と、前記表示手段が表示している前記ＧＵＩとを合成し、
前記表示装置の前記表示手段は、前記合成手段が前記更新画像を合成した前記ＧＵＩを表示する、ＧＵＩ表示方法。
【発明の詳細な説明】
【技術分野】
【０００１】
本発明はＧＵＩ表示システム、記録装置及びＧＵＩ表示方法に関し、特に、記録装置のＧＵＩ（Graphical  User  Interface）画面を、通信回線を介して接続された画像表示装置で表示するためのＧＵＩ表示システム、記録装置及びＧＵＩ表示方法に関するものである。
【背景技術】
【０００２】
テレビジョンやＤＶＤレコーダ等において、ユーザに対する情報の表示にグラフィックを多用し、大半の基礎的な操作をリモートコントローラ等によるカーソル又はアイコンの指定によって行なうことができるＧＵＩ環境が提案されている。例えば、特許文献１では、メニュー表示装置が開示されている。このメニュー表示装置は、メニュー操作情報と、ユーザが好むレスポンス速度に関する操作レスポンス情報とを受信する。また、メニュー表示装置は、メニュー操作情報と操作レスポンス情報とに基づき、メニュー画面を表示する。これにより、メニュー表示装置は、ユーザが好むレスポンスでメニューを操作可能とすることができる。
【０００３】
また、近年は、別々の部屋に設置したテレビジョンとＤＶＤレコーダとをＬＡＮ（Local  Area  Network）等の通信回線で接続することが行われている。ユーザはテレビジョンが設置された部屋でテレビジョンの画面に表示されたＤＶＤレコーダのＧＵＩ画面を操作することにより、テレビジョンが設置された部屋に居ながら、別の部屋に設置したＤＶＤレコーダを操作する。
【特許文献１】特開２００６−３３１１６２号公報
【発明の開示】
【発明が解決しようとする課題】
【０００４】
しかしながら、上記の技術では、テレビジョンとＤＶＤレコーダとがＬＡＮ等で接続された環境でテレビジョン側からＤＶＤレコーダのＧＵＩ画面を操作しようとすると、通信回線の通信量の問題からＧＵＩ画面の更新が遅れ、ユーザが好むレスポンスの速度が得られないことがある。
【０００５】
本発明は、かかる事情に鑑みてなされたものであり、その目的は、記録装置のＧＵＩ画面を、通信回線を介して接続された画像表示装置で表示する際に、ＧＵＩ画面の更新の速度を一層速くしたＧＵＩ画面表示システム、記録装置及びＧＵＩ表示方法を提供することにある。
【課題を解決するための手段】
【０００６】
本発明は、記録装置のＧＵＩを、表示装置で表示するＧＵＩ表示システムであって、表示装置は、記録装置から送信されたデータに係るＧＵＩを表示する表示手段と、ＧＵＩ中で更新表示される領域の更新画像と、表示手段が表示しているＧＵＩとを合成する合成手段と、を備え、表示手段は、合成手段が更新画像を合成したＧＵＩを表示する、ＧＵＩ表示システムである。
【０００７】
また、本発明は、記録装置のＧＵＩを、表示装置で表示させる記録装置であって、ＧＵＩ中で更新表示される領域の座標データを生成する更新領域データ生成手段を備え、ＧＵＩに係るデータと共に、更新領域データ生成手段が生成した座標データを表示装置に送信する、記録装置である。
【０００８】
さらに、本発明は、記録装置のＧＵＩを、表示装置で表示するＧＵＩ表示方法であって、表示装置の表示手段は、記録装置から送信されたデータに係るＧＵＩを表示し、表示装置の合成手段は、ＧＵＩ中で更新表示される領域の更新画像と、表示手段が表示しているＧＵＩとを合成し、表示装置の表示手段は、合成手段が更新画像を合成したＧＵＩを表示する、ＧＵＩ表示方法である。
【発明の効果】
【０００９】
本発明のＧＵＩ表示システム、記録装置及びＧＵＩ表示方法によれば、記録装置のＧＵＩを、通信回線を介して接続された表示装置で表示する際に、ＧＵＩの更新の速度を一層速くすることができる。
【発明を実施するための最良の形態】
【００１０】
以下、本発明の実施の形態に係るＧＵＩ表示システム、記録装置及びＧＵＩ表示方法について添付図面を参照して説明する。
【００１１】
まず、図１を参照して、本発明の第１実施形態に係るＧＵＩ画面表示システムについて説明する。図１に示すように、画像表示装置１００と記録装置２００とは、ＬＡＮ（通信回線）３００で接続されている。ＬＡＮ３００は有線であっても、無線であってもよい。また、画像表示装置１００と記録装置２００とは、ＬＡＮ以外のＭＡＮ（Metropolitan  Area  Network）やＷＡＮ（Wide  Area  Network）で接続されていても良い。あるいは、画像表示装置１００と記録装置２００とは、ネットワーク接続以外の単線ケーブル、光ファイバ等で接続されていても良い。
【００１２】
図２は、第１実施形態に係る画像表示装置１００の概略ブロック図である。図２に示すように、画像表示装置１００は、ＣＰＵ（Central  Processing  Unit）１０１、イーサネット（Ethernet：登録商標）Ｉ／Ｆ部１０２、Ａ／Ｖ分離部（Demux）１０３、メモリ（Memory）１０４、音声復号部(Audio  Decoder)１０５、映像復号部(Video  Decoder)１０６、グラフィック処理部１０７、映像処理／出力部１０８、バス１１０、Ｄ／Ａコンバータ１２０、増幅器（Amp）１２１、スピーカ１２２、及び端子１３０を備えている。
【００１３】
画像表示装置１００は、端子１３０でＬＡＮに接続している。端子１３０から入力されたＡＶストリームは、イーサネットＩ／Ｆ部１０２を経由して、Ａ／Ｖ分離部１０３で映像データと音声データに分離される。映像データは、映像復号部１０６で復号される。複号された映像データは、映像処理／出力部１０８から映像信号として出力され、表示パネル１４０に表示される。表示パネル１４０は、表示手段として機能する。
【００１４】
音声データは、音声復号部１０５で復号され、Ｄ／Ａコンバータ１２０、増幅器１２１を通りスピーカ１２２から出力される。
【００１５】
ＣＰＵ１０１およびグラフィック処理部１０７は、ＧＵＩ画面中で更新表示される領域のＧＵＩ表示画面（更新画像）を生成する。ＧＵＩ画面中で更新表示される領域のＧＵＩ表示画面は、メモリ１０４に記憶される。ＣＰＵ１０１およびグラフィック処理部１０７で生成されたＧＵＩ画面中で更新表示される領域のＧＵＩ表示画面は、映像処理／出力部１０８で映像信号に重畳され、表示パネル１４０に表示される。ＣＰＵ１０１、グラフィック処理部１０７及び映像処理／出力部１０８は、更新画像生成手段及び合成手段として機能する。
【００１６】
図３は、第１実施形態に係る記録装置２００の概略ブロック図である。図３に示すように、記録装置２００は、ＣＰＵ２０１、イーサネット（Ethernet：登録商標）Ｉ／Ｆ部２０２、ストレージＩ／Ｆ部２０３、メモリ２０４、ストリームＩ／Ｆ部２０５、グラフィック処理部２０６、Ａ／Ｖ合成部（MUX）２０７、映像符号化部（Video  Encoder）２０８、音声符号部（Audio  Encoder）２０９、バス２１０、チューナー２２０、端子２３０、及びストレージ２４０を備えている。
【００１７】
受信されたアナログ音声信号は、音声符号化部２０９によって符号化される。符号化された映像信号と音声信号とはＡ／Ｖ合成部２０７によって合成され、Ａ／Ｖストリームとされる。一方、チューナー２２０で受信されたデジタル映像信号は、例えばＭＰＥＧ２ＴＳ（Transport  Stream）形式のＡ／Ｖストリームとして、ストリームＩ／Ｆ部２０５から入力される。ＡＶストリームは、ストレージＩＦ部２０３を介して、ストレージ２４０に記録される。
【００１８】
ストレージ２４０に記録されたＡ／Ｖストリームは、ＣＰＵ２０１により読み出される。ＡＶストリームは、イーサネットＩ／Ｆ部２０２を介して端子２３０に接続されたＬＡＮ３００に出力される。ＣＰＵ２０１およびグラフィック処理部２０６で生成されたＧＵＩ表示画面はメモリ２０４に保持される。メモリ２４０に保持されたＧＵＩ表示画面の画像データは、ＣＰＵ２０１により読み出される。ＧＵＩ表示画面の画像データは、イーサネットＩ／Ｆ部２０２を介して端子２３０に接続されたＬＡＮ３００に出力される。ＣＰＵ２０１およびグラフィック処理部２０６は、更新領域データ生成手段として機能する。
【００１９】
次に、図４を参照して、本実施形態のＧＵＩ画面表示システムの動作を、記録装置２００のメモリ２４０に記録されているコンテンツのコンテンツリストＧＵＩを画像表示装置１００側で表示する場合を例に挙げて説明する。なお、以下、ＧＵＩの更新とは、選択枠（カーソル又はアイコン）の表示又は移動を意味するものとする。
【００２０】
ユーザが使用する表示装置のリモートコントローラは、表示装置１００に対し、ＬＡＮ３００で接続されている記録装置２００に保存されているコンテンツのリストを表示することを指示する（Ｓ１）。表示装置１００は、記録装置２００に対して、コンテンツリストのＧＵＩ画面を送信することを要求する（Ｓ２）。
【００２１】
記録装置２００がコンテンツリストＧＵＩ画面送信要求を受け取ると、記録装置２００のＣＰＵ２０１およびグラフィック処理部２０６は、図５に示すコンテンツリストＧＵＩ画面を生成して、メモリ２０４に保持させる（Ｓ３）。記録装置２００のＣＰＵ２０１、映像符号化部２０８又は別途設けられた不図示の符号化器は、生成したＧＵＩ画面の画像データをＪＰＥＧ形式等にエンコード（符号化）する（Ｓ４）。
【００２２】
また、記録装置２００のＣＰＵ２０１およびグラフィック処理部２０６は、生成したＧＵＩ画面の中でユーザのＧＵＩ操作により表示の更新が必要となる領域の座標とそのＩＤを記述したデータである図６に示すようなＧＵＩマップを作成する（Ｓ５）。記録装置２００は、イーサネットＩ／Ｆ部２０２から端子２３０に接続されたＬＡＮ３００を介して、表示装置１００に対して、エンコードされたＧＵＩ画面とＧＵＩマップを送信する（Ｓ６）。
【００２３】
画像表示装置１００のＣＰＵ１０１、映像復号部１０６又は別途設けられた不図示の映像復号化器は、端子１３０及びイーサネットＩ／Ｆ部１０２を介して受信したＧＵＩ画面の画像信号をデコード（復号化）する（Ｓ７）。ＣＰＵ１０１及びグラフィック処理部１０７は、ＧＵＩマップを参照して選択枠を生成する（Ｓ８）。ＣＰＵ１０１及びグラフィック処理部１０７は、生成した選択枠をＧＵＩ画面に合成し、メモリ１０４に記憶させる（Ｓ９）。図７に示すように、映像処理／出力部１０８は、生成されたＧＵＩ画面をメモリ１０４から読み出し、表示パネル１４０に表示する（Ｓ１０）。
【００２４】
ユーザは、表示されたＧＵＩ画面から希望するコンテンツまたはフォルダを選択するために、画像表示装置１００のリモートコントローラのカーソルキーを操作する。画像表示装置１００のリモートコントローラは、ユーザにより操作されたカーソルキーを画像表示装置１００に指示する（Ｓ１１）。画像表示装置１００のＣＰＵ１０１及びグラフィック処理部１０７は、リモートコントローラの指示に従い、ＧＵＩマップを参照し、新たに選択枠（更新画像）を生成する（Ｓ１２）。画像表示装置１００のＣＰＵ１０１及びグラフィック処理部１０７は、生成された新たな選択枠を、表示パネル１４０が表示していたＧＵＩ画面に合成して更新後のＧＵＩ画面を生成する（Ｓ１３）。映像処理／出力部１０８は、生成された更新後のＧＵＩ画面を表示パネル１４０に表示する（Ｓ１４）。この場合、ユーザから見ると選択枠が移動したように見える。
【００２５】
ユーザは、希望の場所まで選択枠を移動させたところで、画像表示装置１００のリモートコントローラの決定キーを押下する。画像表示装置１００のリモートコントローラは、画像表示装置１００に、決定キーの押下を指示する（Ｓ１５）。
【００２６】
画像表示装置１００は、決定キーが押されたときに選択されていた選択枠の領域のＩＤまたは座標を記録装置２００に送信する（Ｓ１６）。記録装置２００は、決定キーが押された場所に応じた処理を行なう。フォルダが選択された場合には、再び当該フォルダ内のコンテンツリストのＧＵＩ画面を生成し、上記処理を行なう（Ｓ１７，Ｓ３）。コンテンツが選択された場合には、記録装置２００は、ストレージ２４０からコンテンツのストリームデータを読み出し、画像表示装置１００に送信する（Ｓ１７，Ｓ１８）。画像表示装置１００は、受信したコンテンツのストリームデータをデコードして表示する（Ｓ１９）。
【００２７】
本実施形態によれば、画像表示装置１００のＣＰＵ１０１及びグラフィック処理部１０７は、ＧＵＩ画面の更新ごとにＧＵＩ画面の選択枠を生成し、それまで表示パネル１４０に表示されていたＧＵＩ画面と合成して更新後のＧＵＩ画面を生成する。そのため、ユーザによるＧＵＩ操作の度にＬＡＮ３００経由でＧＵＩ画面の更新部分を取得する必要がないため、よりレスポンスの良いＧＵＩ画面表示を行うことができる。
【００２８】
特に、本実施形態によれば、記録装置２００はＧＵＩマップを生成し、画像表示装置１００のＣＰＵ１０１及びグラフィック処理部１０７は、ＧＵＩマップを参照してＧＵＩ画面の選択枠を生成し、それまで表示パネル１４０に表示されていたＧＵＩ画面と合成して更新後のＧＵＩ画面を生成する。ＧＵＩマップは、ＧＵＩ画面全体の画像データに比べてデータの量が少ないため、ＬＡＮ３００による通信速度を低下させることがない。そのため、よりレスポンスの良いＧＵＩ画面表示を行うことができる。
【００２９】
以下、本発明の第２実施形態について説明する。本実施形態では、図７に示すようなＧＵＩ操作により表示を更新する必要がある領域の更新後のＧＵＩ画像は、図４のＳ５において、記録装置２００のＣＰＵ２０１およびグラフィック処理部２０６で生成される。本実施形態では、記録装置２００のＣＰＵ２０１およびグラフィック処理部２０６が、更新画像生成手段として機能する。本実施形態では、図４のＳ６において、記録装置２００は、ＧＵＩマップと関連付けてＧＵＩ画面と一緒に、表示を更新する必要がある領域の更新後のＧＵＩ画像を画像表示装置１００に送信する。本実施形態では、図４のＳ８は行わず、Ｓ９及びＳ１１において、記録装置２００から受信した更新後のＧＵＩ画像を、それまで表示パネル１４０に表示されていたＧＵＩ画面と合成して更新後のＧＵＩ画面を生成する。その結果、画像表示装置１００は、図９に示すようなＧＵＩ画面を表示する。
【００３０】
本実施形態では、記録装置２００のＣＰＵ２０１およびグラフィック処理部２０６が、ＧＵＩ操作により表示を更新する必要がある領域の更新後のＧＵＩ画像を生成するため、ＧＵＩ画面の表示態様が記録装置２００のものに近いものとなる利点がある。
【００３１】
以下、本発明の第３実施形態について説明する。本実施形態では、画像表示装置１００のＣＰＵ１０１及びグラフィック処理部１０７は、記録装置２００のＧＵＩ画面の表示態様を、画像表示装置１００の表示態様に変換する。本実施形態では、ＣＰＵ１０１及びグラフィック処理部１０７は、表示態様変換手段として機能する。図５に示すような記録装置２００のＧＵＩ画面のアイコンは、「＜＜」、「決定」、「モード」、「ズーム」及び「＞＞」のアイコンは、記録装置２００のリモートコントローラに対応した表示となっている。本実施形態では、画像表示装置１００のＣＰＵ１０１及びグラフィック処理部１０７は、図１０に示すように、記録装置２００のＧＵＩ画面のアイコンを、画像表示装置１００のリモートコントローラに対応した表示になるように、「＜＜」、「青」、「赤」、「緑」及び「＞＞」に置き換えて表示する。画像表示装置１００の対応するリモートコントローラのキーが押されると、画像表示装置は、記録装置２００のＧＵＩ画面に対応するＩＤを記録装置に送信する。
【００３２】
本実施形態によれば、ＧＵＩ画面のアイコン等の表示態様が、ユーザが操作している画像表示装置１００のリモートコントローラと一致するので、ユーザがＧＵＩ画面の操作をしやすくなる。
【００３３】
以上、本発明の実施の形態について説明したが、本発明は、上記実施形態に限定されるものではなく種々の変形が可能である。
【図面の簡単な説明】
【００３４】
【図１】第１実施形態に係るＧＵＩ画面表示システムの構成を示す側面図である。
【図２】第１実施形態に係る画像表示装置の構成を示す概略ブロック図である。
【図３】第１実施形態に係る記録装置の構成を示す概略ブロック図である。
【図４】第１実施形態に係るＧＵＩ表示システムの動作を示すシーケンス図である。
【図５】第１実施形態に係る記録装置のＧＵＩ画面を示す図である。
【図６】第１実施形態に係るＧＵＩマップを示す図である。
【図７】第１実施形態に係る画像表示装置のＧＵＩ画面を示す図である。
【図８】第２実施形態に係る更新領域の更新後のＧＵＩイメージを示す図である。
【図９】第２実施形態に係る更新後のＧＵＩイメージを画像表示装置側で更新領域に表示したＧＵＩ画面を示す図である。
【図１０】第３実施形態に係る画像表示装置における画像表示装置のリモートコントローラに対応したアイコン表示としたＧＵＩ画面を示す図である。
【符号の説明】
【００３５】
１００…画像表示装置、１０１…ＣＰＵ、１０２…イーサネットＩ／Ｆ部、１０３…Ａ／Ｖ分離部、１０４…メモリ、１０５…音声復号部、１０６…映像復号部、１０７…グラフィック処理部、１０８…映像処理／出力部、１１０…バス、１２０…Ｄ／Ａコンバータ、１２１…増幅器、１２２…スピーカ、１３０…端子、１４０…表示パネル、２００…記録装置、２０１…ＣＰＵ、２０２…イーサネットＩ／Ｆ部、２０３…ストレージＩ／Ｆ部、２０４…メモリ、２０５…ストリームＩ／Ｆ部、２０６…グラフィック処理部、２０７…Ａ／Ｖ合成部、２０８…映像符号化部、２０９…音声符号化部、２１０…バス、２２０…チューナー、２３０…端子、２４０…ストレージ、３００…ＬＡＮ。
【図１】
2008250621.tif 000003
【図２】
2008250621.tif 000004
【図３】
2008250621.tif 000005
【図４】
2008250621.tif 000006
【図５】
2008250621.tif 000007
【図６】
2008250621.tif 000008
【図７】
2008250621.tif 000009
【図８】
2008250621.tif 000010
【図９】
2008250621.tif 000011
【図１０】
2008250621.tif 000012